(57)【要約】【課題】好感触で先細のラインを容易且つ綺麗に形成できる棒状化粧料繰出容器を提供する。【解決手段】先筒２の先端部２ａの先端面が、先端側から見て、外方へ向かって尖るように先細となる先細面２ｄを有する構成とする。このような構成を有することにより、ラインを形成する際の上流側に先細面２ｄを位置させてアイライナーＭを被塗布部Ｓに当てて一定太さのアイラインを引いていき、先細のラインを描く段階になったら、先細面２ｄが被塗布部Ｓに当たると共にアイライナーＭが被塗布部Ｓから離れるようにアイライナー繰出容器１００の角度を変え、軟質材で形成された先端部２ａの先細面２ｄで被塗布部Ｓを擦るようにして引いていけば、好感触で先細のアイラインを容易且つ綺麗に形成できる。【選択図】図１４
2017189466.tif 000002
【特許請求の範囲】
【請求項１】
操作部の操作により、容器本体内に収容された移動体が前進し、前記移動体の前進により、前記容器本体の前側に位置する先筒のその筒孔に収容され先端側から見た形状が前記先筒の先端部の開口と相似形の棒状化粧料が繰り出され、前記開口から突出する棒状化粧料繰出容器であって、
前記先筒は、軟質材で形成された前記先端部と、前記先端部に連設されて軸線方向に延び硬質材で形成された本体部と、を備え、
前記先端部の先端面は、先端側から見て、外方へ向かって尖るように先細となる先細面を有することを特徴とする棒状化粧料繰出容器。
【請求項２】
前記先端面は、前記先筒の軸心に対する垂直断面に対して傾斜する傾斜面であり、
前記傾斜面の先端側が、前記先細面を有することを特徴とする請求項１記載の棒状化粧料繰出容器。
【請求項３】
前記先細面を含む前記先端面の外縁は、軸線方向視において雫形となっていることを特徴とする請求項１又は２記載の棒状化粧料繰出容器。
【請求項４】
前記先端部は、その一部が、前方へ向かって延び前記棒状化粧料をひさし状に覆う突出部を有し、
前記突出部の先端面が、前記先細面を有することを特徴とする請求項１記載の棒状化粧料繰出容器。
【請求項５】
前記開口及び前記棒状化粧料は、先端側から見て、前記先細面の外縁と同方向に先細となる輪郭を有する形状とされていることを特徴とする請求項１〜４の何れか一項に記載の棒状化粧料繰出容器。
【請求項６】
前記先細面が、前記棒状化粧料によるラインを擦って先細に引き延ばすための塗布面となることを特徴とする請求項１〜５の何れか一項に記載の棒状化粧料繰出容器。
【発明の詳細な説明】
【技術分野】
【０００１】
本発明は、棒状化粧料を繰り出すことができる棒状化粧料繰出容器に関する。
【背景技術】
【０００２】
従来、容器前部と容器後部の相対回転により、容器内に収容された移動体を進退させ、移動体の先端に支持した棒状化粧料を、容器前部の開口から出没させる棒状化粧料繰出容器が広く用いられている（例えば、特許文献１参照）。
【０００３】
ところで、アイラインを描く際に、目尻でアイラインを先細にして跳ね上げる化粧方法が知られている。このような化粧方法にあっては、筆を用い液状化粧料であるアイライナーを先細にして跳ね上げて描くのが一般的であった。
【先行技術文献】
【特許文献】
【０００４】
【特許文献１】特開２０１２−９６００９号公報
【発明の概要】
【発明が解決しようとする課題】
【０００５】
ここで、使い勝手の良さから、上記のような棒状化粧料繰出容器により、先細の跳ね上げラインを描くことが望まれているが、まぶたの縁に一定の太さ（棒状化粧料の太さ）のアイラインを引きながら目尻で先細の跳ね上げラインを描かねばならず、簡単且つ綺麗に先細のラインを描くことは難しい。
【０００６】
そこで、本発明は、棒状化粧料を用いてアイラインを始めとした先細のラインを容易且つ綺麗に形成できる棒状化粧料繰出容器を提供することを目的とする。
【課題を解決するための手段】
【０００７】
本発明による棒状化粧料繰出容器は、操作部の操作により、容器本体内に収容された移動体が前進し、移動体の前進により、容器本体の前側に位置する先筒のその筒孔に収容され先端側から見た形状が先筒の先端部の開口と相似形の棒状化粧料が繰り出され、開口から突出する棒状化粧料繰出容器であって、先筒は、軟質材で形成された先端部と、先端部に連設されて軸線方向に延び硬質材で形成された本体部と、を備え、先端部の先端面は、先端側から見て、外方へ向かって尖るように先細となる先細面を有する。
【０００８】
このような棒状化粧料繰出容器によれば、ラインを形成する際の上流側に先細面を位置させて棒状化粧料を被塗布部に当てて一定太さのラインを引いていき、先細のラインを描く段階になったら、先細面が被塗布部に当たると共に棒状化粧料が被塗布部から離れるように棒状化粧料繰出容器の角度を変え、軟質材で形成された先端部の先細面で被塗布部を擦るようにして引いていけば、好感触で先細のラインを容易且つ綺麗に形成できる。
【０００９】
ここで、上記作用を好適に奏する構成としては、具体的には、先端面は、先筒の軸心に対する垂直断面に対して傾斜する傾斜面であり、傾斜面の先端側が、先細面を有する構成が挙げられる。このような構成によれば、鏡を見ながら容器を傾けてラインを描くことができ、容器が邪魔にならない。
【００１０】
また、上記作用を好適に奏する構成としては、具体的には、先細面を含む先端面の外縁は、軸線方向視において雫形となっている構成が挙げられる。このような構成によれば、雫形という簡易な形状により、綺麗な先細のラインを形成できる。
【００１１】
また、上記作用を好適に奏する構成としては、具体的には、先端部は、その一部が、前方へ向かって延び棒状化粧料をひさし状に覆う突出部を有し、突出部の先端面が、先細面を有する構成も挙げられる。
【００１２】
また、開口及び棒状化粧料は、先端側から見て、先細面の外縁と同方向に先細となる輪郭を有する形状にされているのが好ましい。このような構成を採用した場合、先端部の先細面が被塗布部に当たると共に棒状化粧料が被塗布部から離れるように棒状化粧料繰出容器の角度を変えた時点で、棒状化粧料の先細となる輪郭で囲まれた先細化粧料面により既に先細のラインが描かれており、その先細のラインを先端部の先細面で擦るため、一層綺麗な先細のラインを形成できる。
【００１３】
そして、上述したように、先細面が、棒状化粧料によるラインを擦って先細に引き延ばすための塗布面となる。
【発明の効果】
【００１４】
このように本発明によれば、好感触で先細のラインを容易且つ綺麗に形成できる棒状化粧料繰出容器を提供できる。
【図面の簡単な説明】
【００１５】
【図１】本発明の第１実施形態に係る棒状化粧料繰出容器を示す縦断面図である。
【図２】図１の直交縦断面図であり図１からキャップを取り外し棒状化粧料を前進限まで前進させた状態を示す縦断面図である。
【図３】図１からキャップを取り外した左側面図である。
【図４】図１〜図３の先筒を示す斜視図である。
【図５】図１の先筒の先端側を示す平面図である。
【図６】図１の先筒の先端側を示す正面図である。
【図７】図１の先筒の先端側を示す下面図である。
【図８】図７のVIII-VII線断面図である。
【図９】図６のIX-IX線断面図である。
【図１０】図６のX-X線断面図である。
【図１１】アイラインを描く際の説明図である。
【図１２】図１１に続くアイラインを描く際の説明図である。
【図１３】図１２に続くアイラインを描く際の説明図である。
【図１４】図１３に続くアイラインを描く際の説明図である。
【図１５】図１１〜図１４に示す容器の姿勢とアイラインの形状とを対応させて説明するための図である。
【図１６】本発明の第２実施形態に係る棒状化粧料繰出容器の先筒を示す斜視図である。
【図１７】図１６に示す先筒の先端側の平面図である。
【図１８】図１６に示す先筒の先端側の正面図である。
【図１９】図１６に示す先筒の先端側の左側面図である。
【図２０】図１９のXX-XX線断面図である。
【発明を実施するための形態】
【００１６】
以下、本発明による棒状化粧料繰出容器の好適な実施形態について図１〜図２０を参照しながら説明する。図１〜図１５は本発明の第１実施形態を、図１６〜図２０は本発明の第２実施形態を各々示すものであり、各図において、同一の要素には同一の符号を付し、重複する説明は省略する。
【００１７】
先ず、図１〜図１５に示す第１実施形態を説明する。
【００１８】
図１は第１実施形態に係る棒状化粧料繰出容器を示す縦断面図、図２は図１の直交縦断面図であり図１からキャップを取り外し棒状化粧料を前進限まで前進させた状態を示す縦断面図、図３は図１からキャップを取り外した左側面図、図４は先筒を示す斜視図、図５〜図１０は先筒の先端側を示す各図である。
【００１９】
図１及び図２に示すように、本実施形態の棒状化粧料繰出容器は、容器内に収容した棒状化粧料を、使用者が適宜繰り出し使用するものであり、ここでは、特に好適であるとして、棒状化粧料をアイライナーＭとし、棒状化粧料繰出容器をアイライナー繰出容器１００として説明する。
【００２０】
アイライナー繰出容器１００は、容器外形を構成する容器本体１及び先筒２と、容器本体１内に収容された移動体３及びラチェットバネ部材４と、先筒２内に収容された雌螺子部材５と、先筒２を覆うように先筒２に着脱可能に装着されるキャップ７と、先筒２内でアイライナーＭを押し出すピストン１０とを概略備える。
【００２１】
容器本体１は、長尺な円筒状に構成され、アイライン形成時に使用者により把持されるる部分である。容器本体１の後端は尾栓８により閉じられ、当該尾栓８は、容器本体１内で前方へと長尺に延びる突出部９を備える。先筒２は、詳細な説明は後述するが、先細の円筒状に形成され、容器本体１に回転可能且つ軸線方向移動不能に装着される。
【００２２】
ラチェットバネ部材４は、略円筒状に形成されている。ラチェットバネ部材４は、その前端部のラチェット歯４ａと、軸線方向に伸縮可能なバネ部４ｂとを備える。雌螺子部材５は、略円筒状を成し、その前側の内周面に螺合機構の一方を構成する雌螺子５ａと、後方に突出するラチェット歯５ｂとを備える。ラチェットバネ部材４のバネ部４ｂにより、ラチェットバネ部材４のラチェット歯４ａは、前方に付勢され、雌螺子部材５のラチェット歯５ｂと軸線周り回転方向に係合可能（噛合可能）とされている。
【００２３】
これらのラチェット歯４ａ，５ｂは、雌螺子部材５が回転方向に係合する先筒２と、ラチェットバネ部材４が回転方向に係合する容器本体１との一方向（移動体３の繰り出し方向）への相対回転のみを許容し、一方向の反対方向である他方向（移動体３の繰り戻し方向）への相対回転を規制する構成とされている。移動体３は長尺な軸体であり、軸線方向前半部に雄螺子３ａを有する。移動体３は、その外周面に雄螺子３ａを備えており、雄螺子３ａに雌螺子部材５の雌螺子５ａが螺合した状態とされている。
【００２４】
このように構成されたアイライナー繰出容器１００にあっては、使用者により図１に示すキャップ７が先筒２から取り外され、容器本体１と先筒２とが一方向に相対回転されると、ラチェット歯４ａ，５ｂが同期して一方向に相対回転し、この相対回転に伴って雌螺子５ａ及び雄螺子３ａの螺合作用が働いて移動体３が前進する。そして、移動体３の前方に位置するピストン１０によって先筒２内のアイライナーＭが前側に順次繰り出され、アイライナーＭは先筒２の開口２ｅから出現して使用状態とされる。
【００２５】
次に、本実施形態の特徴を成す先筒２について説明する。
【００２６】
図４に示すように、先筒２は、略円筒状に構成され、先端に行くに従って徐々に先細となる形状を呈し、先端部２ａと、先端部２ａに連設されて後方へ長尺に延びる本体部２ｂと、を備える。先端部２ａは軟質材より成り、本体部２ｂは硬質材より成り、先端部２ａ及び本体部２ｂは２色成形により形成されている。
【００２７】
先端部２ａを構成する軟質材としては、例えば、熱可塑性エラストマー又はゴム等が採用される。本体部２ｂを構成する硬質材としては、例えば、ＰＰ（ポリプロピレン）、ＰＢＴ（ポリブチレンテレフタレート）、ＡＢＳ樹脂、ＰＥ（ポリエチレン）、ＰＳ（ポリスチレン）、ポリ塩化ビニル、ポリエステル、若しくはポリアミド等を始めとした熱可塑性樹脂、又は金属等が採用される。
【００２８】
ここで、先端部２ａを構成する軟質材と、本体部２ｂを構成する硬質材の組み合わせとしては、例えば、熱可塑性エラストマーとＰＰ、熱可塑性エラストマーとＰＢＴ、熱可塑性エラストマーとＡＢＳ樹脂等の組み合わせが好ましい。
【００２９】
なお、ここでは、先端部２ａと本体部２ｂを２色成形により形成しているが、別々の部品を組み付けて先筒２を構成するようにしても良い。
【００３０】
先筒２の先端部２ａは、その先端面２ｃが、先筒２の軸心に対する垂直断面に対して傾斜する傾斜面（図４、図６及び図８参照）となっていると共に、傾斜面に向かって先細になる形状を呈している（図４、図５及び図７参照）。先端面２ｃを成す傾斜面は、ここでは、図６及び図８に示すように、外側に若干膨らむように湾曲している。そして、傾斜する先端面２ｃは、図３に示すように先端側から見て（軸線方向視において）、先端側となる図示上側（外方）へ向かって尖るように先細となる先細面２ｄを有する形状になっていると共に、この先細面２ｄより図示下側の先端面２ｃが、図示下方に向かって突出するように大きく湾曲する面となっている。
【００３１】
より具体的には、先端面２ｃは、先端側から見て、雫形状を呈し、先端面２ｃのうちの先細となる先端側の面が先細面２ｄとされる。なお、先細面２ｄは、先端側から見て、外方へ向かって尖るように先細となっていれば、先端が多少丸味を帯びていても、頂点を有するように鋭角に突出していても良い。そして、この先細面２ｄが、アイライナーＭによるアイラインを先細に引き延ばすための塗布面となる（詳しくは後述）。
【００３２】
先筒２の開口２ｅ、及び開口２ｅに続き後方へ長尺状に延びる筒孔２ｆは、先端側から見て、円形状となる開口２ｅ及び筒孔２ｆの図示上側に、先細面２ｄの外縁と同方向に先細となる輪郭（内縁）を繋げた形状を呈している。先筒２の筒孔２ｆに収容される長尺なアイライナーＭも、先端側から見て（横断面において）、円形の図示上側に先細面２ｄの外縁と同方向に先細となる輪郭（外縁）を繋げた形状を呈している。すなわち、開口２ｅ及び筒孔２ｆ並びにアイライナーＭも先端側から見て雫形状を呈し、先細面２ｄの外縁に対応する部分のアイライナーＭの輪郭が、当該先細面２ｄと相似形となっている。
【００３３】
このような形状のアイライナーＭは、ここでは、比較的軟らかいものとされ、例えば、溶融化粧料を、組み立てられたアイライナー繰出容器１００容器の先筒２の開口２ｅから筒孔２ｆに流し込み固化させることにより得られる。なお、固いアイライナーを用いることもでき、このアイライナーを開口２ｅから先筒２内に挿入するようにしても良い。
【００３４】
図９は図６のIX−IX線断面図であり、図１０は図６のX−X線断面図である。図９に示すように、先筒２の軸心に対する垂直断面で切断したときの先筒２の断面は、円形状となっており、筒孔２ｆの断面形状は雫形状となっている。また、図１０に示すように、先端部２ａ及び筒孔２ｆを先端面２ｃに直交する方向から見ると、先筒２の断面は雫形状になると共に、筒孔２ｆの雫形がさらに長軸方向に延びた形状となる。
【００３５】
次に、上記構成を有するアイライナー繰出容器１００を用いてアイラインを描く際の描き方を説明する。
【００３６】
図１１〜図１４はアイラインを描く際の説明図、図１５は図１１〜図１４に示す容器の姿勢とアイラインの形状とを対応させて説明するための図である。なお、図１５は、容器姿勢とアイラインの形状とを対応させる説明図のため、アイラインは直線状に描かれている（実際のまぶたの縁のラインや跳ね上げラインのような曲がった形状には描かれていない）。
【００３７】
まず、図１１及び図１５に示すように、先筒２を傾けると共に先筒２の先端部２ａのアイライナーＭを被塗布部Ｓに当てる。先筒２の先細面２ｄを被塗布部Ｓに対向させると共にアイライナーＭを被塗布部Ｓに接触させて一定太さのアイラインＡを引いていく。アイラインＡを引くときには、図１２及び図１３に示すように、傾けていた先筒２を徐々に直立させていく。このとき、被塗布部Ｓに接触するアイライナーＭの面は、雫形のアイライナーＭの先端側に徐々に移動するため、アイラインＡは、厳密には少しずつ細くなる形状とされる。
【００３８】
図１３〜図１５に示すように、先筒２を直立させた後には、先筒２を上記とは逆向きに傾斜させ、被塗布部ＳからアイライナーＭを離間させながら先筒２の先細面２ｄを被塗布部Ｓに接触させて、先細のアイラインＢを引いていく。アイラインＢは、アイラインＡよりも先細とされ、例えば被塗布部Ｓに跳ね上げラインを形成する。アイラインＢは、アイライナーＭを被塗布部Ｓから離していくと共に先細面２ｄを被塗布部Ｓに押し付けて擦りつけることにより形成される。
【００３９】
以上のように、本実施形態においては、アイラインＡ，Ｂを形成する際の上流側に先細面２ｄを位置させてアイライナーＭをまぶたの縁（被塗布部Ｓ）に当てて一定太さのアイラインＡを引いていき、目尻の先細の跳ね上げラインであるアイラインＢを描く段階になったら、先細面２ｄが目尻に当たると共にアイライナーＭが目尻から離れるようにアイライナー繰出容器１００の角度を変え、軟質材で形成された先端部２ａの先細面２ｄで目尻を擦るようにして引いていけば、好感触で先細の跳ね上げラインを容易且つ綺麗に形成できる。すなわち、本実施形態のアイライナー繰出容器１００によれば、アイライナーＭのみによる一定太さのアイラインＡと、先筒２の先端部２ａの先細面２ｄによる先細のアイラインＢの両方を適宜使い分けることができる。
【００４０】
また、開口２ｅ及びアイライナーＭは、先端側から見て、先細面２ｄの外縁と同方向に先細となる輪郭を有する形状にされているため、先端部２ａの先細面２ｄが目尻に当たると共にアイライナーＭが目尻から離れるようにアイライナー繰出容器１００の角度を変えた時点で、アイライナーＭの先細となる輪郭で囲まれて尖頭状とされた先端化粧料面により既に先細のアイラインＢが描かれており、その先端のアイラインＢを先端部２ａの先細面２ｄで擦る結果、一層綺麗な先細の跳ね上げラインを形成できる。
【００４１】
また、先端部２ａの先端面２ｃは、先筒２の軸心に対する垂直断面に対して傾斜する傾斜面であり、先端面２ｃの先端側が、先細面２ｄを有するため、鏡を見ながらアイライナー繰出容器１００を傾けてアイラインＡ，Ｂを描くことができ、アイライナー繰出容器１００が邪魔にならない。
【００４２】
また、先端部２ａの先細面２ｄを含む先端面２ｃの外縁は、軸線方向視において雫形となっているため、この雫形という簡易な形状により、綺麗な先細のアイラインＢを形成できる。なお、先端面２ｃの外縁の形状は、雫形に限定されるものではなく、例えば三角形状であっても良く、菱形やラグビーボール形等であっても良い。
【００４３】
因みに、本実施形態においては、先筒２の先端部２ａを軟質材で形成し、本体部２ｂを硬質材で形成しているが、先筒全体を硬質材で形成すると、先端部の先細面で目尻を擦ったときの感触が悪く、また、先筒全体を軟質材で形成すると、先筒に外部から押圧力がかかったときに棒状化粧料が折損してしまう。
【００４４】
図１６は本発明の第２実施形態に係る棒状化粧料繰出容器の先筒を示す斜視図、図１７は先筒の先端側の平面図、図１８は先筒の先端側の正面図、図１９は先筒の先端側の左側面図、図２０は図１９のXX-XX線断面図である。
【００４５】
第２実施形態が第１実施形態と異なる点は、先筒２２の先端部２２ａの構成を変更した点であり、具体的には、先端部２２ａの一部が、前方へ向かって延びアイライナーをひさし状に覆う突出部２２ｂを有し、この突出部２２ｂの先端面２２ｃが、先端側から見て、外方へ向かって尖るように先細となる先細面２２ｄを有する点である。
【００４６】
突出部２２ｂは、先端側から見て、菱形筒の角を丸めた形状の長軸の一端側の部分の形状を呈し、当該部分の先端面２２ｃが先細面２２ｄを有している。
【００４７】
また、ここでは、先筒２２の開口２２ｅ及び筒孔２２ｆ並びにアイライナー（不図示）は、先端側から見て、菱形の角を丸めた形状となっており、突出部２２ｂの先端面２２ｃの外縁に対応する部分の輪郭が、当該先細面２２ｄと同方向に先細となっている。そして、ここでは、開口２２ｅ及び筒孔２２ｆ並びにアイライナーは、先端側から見て、突出部２２ｂの先細面２２ｄの外縁に対応する部分の輪郭が、当該先細面２２ｄと相似形となっている。
【００４８】
このように、アイライナーをひさし状に覆う突出部２２ｂの先端面２２ｃが、先細面２２ｄを有する構成であっても、第１実施形態と同様に、アイラインを形成する際の上流側に先細面２２ｄを位置させてアイライナーをまぶたの縁に当てて一定太さのアイラインを引いていき、目尻の先細の跳ね上げラインを描く段階になったら、先細面２２ｄが目尻に当たると共にアイライナーが目尻から離れるようにアイライナー繰出容器の角度を変え、軟質材で形成された先端部２２ａの先細面２２ｄで目尻を擦るようにして引いていけば、好感触で先細の跳ね上げラインを容易且つ綺麗に形成できる。
【００４９】
また、第１実施形態と同様に、開口２２ｅ及びアイライナーは、先端側から見て、先細面２２ｄの外縁と同方向に先細となる輪郭を有する形状にされているため、先端部２２ａの先細面２２ｄが目尻に当たると共にアイライナーが目尻から離れるようにアイライナー繰出容器の角度を変えた時点で、アイライナーの先細となる輪郭で囲まれた尖頭状の先細化粧料面により既に先細のアイラインが描かれており、その先細のアイラインを先端部２２ａの先細面２２ｄで擦る結果、一層綺麗な先細の跳ね上げラインを形成できる。
【００５０】
以上、本発明をその実施形態に基づき具体的に説明したが、本発明は上記実施形態に限定されるものではなく、例えば、開口２ｅ及び筒孔２ｆ、アイライナーＭが、先端側から見て、先細になっておらず、例えば円形（円柱状のアイライナー、円形の開口及び筒孔断面）であっても良い。この場合であっても、軟質材で形成された先端部の先細面で目尻を擦るようにして引いていくことにより、好感触で先細の跳ね上げラインを容易且つ綺麗に形成できる。
【００５１】
また、先端部の先細面が、先端側から見て、外方へ向かって尖るように先細となる先細面を有していれば、それ以外の先端部の先端面の形状、開口及び筒孔並びにアイライナーの形状は特に限定されるものではなく、先端側から見て、楕円形状や扁平形状や角形状等となっていても良い。但し、開口とアイライナーは、先端側から見て相似形となる。
【００５２】
また、上記実施形態においては、目尻に先細で綺麗な跳ね上げラインを容易に描けるとして、先筒２の傾斜面を成す先端面２ｃや突出部２２ｂの先端面２２ｃに先細面２ｄ，２２ｄを設けているが、例えば、先筒の先端面を、当該先筒の軸心に対して垂直なフラットな面とした場合にも適用可能であり、この場合も、フラットな先端面に先細面を設ければ良い。この場合も、アイラインを形成する際の上流側に先細面を位置させてアイライナーをまぶたの縁に当てて一定太さのアイラインを引いていき、目尻の先細の跳ね上げラインを描く段階になったら、先細面が目尻に当たると共にアイライナーが目尻から離れるようにアイライナー繰出容器の角度を変え、軟質材で形成された先端部の先細面で目尻を擦るようにして引いていけば、好感触で先細の跳ね上げラインを容易且つ綺麗に形成できる。
【００５３】
また、上記実施形態においては、特に好適であるとして、棒状化粧料をアイライナーＭとし、目尻に先細で綺麗な跳ね上げラインを描く場合の適用を述べているが、例えば、棒状化粧料をアイブロウとし、眉尻に先細で綺麗な跳ね上げラインを描く場合にも適用でき、また、棒状化粧料を口紅とし、口角に先細で綺麗な跳ね上げラインを描く場合にも適用でき、要は、種々の棒状化粧料に対して適用できる。また、特に好適であるとして、跳ね上げラインを描く場合の適用を述べているが、跳ね上がらないラインに対しても適用でき、この場合も先細で綺麗なラインを描くことができる。
【００５４】
また、棒状化粧料をピストンにより押し出す棒状化粧料繰出容器に対して適用できるだけではなく、例えば特開２０１４−２２１１４７号公報に記載のように、棒状化粧料の後端部を、その周囲に離間して並設された複数個の支持片により挟むようにして支持し進退させる棒状化粧料繰出容器や、例えば特開２０１４−２００５３２号公報に記載のように、棒状化粧料の後端部を、有底円筒状の保持筒により保持し進退させる棒状化粧料繰出容器に対しても適用できる。このように棒状化粧料を進退させる場合には、前述した、ラチェットバネ部材４及び雌螺子部材５のラチェット歯４ａ，５ｂより成るラチェット機構は不要となる。また、棒状化粧料の繰り出し、繰り戻しに際してクリック感を生じさせたい場合には、ラチェット機構をクリック機構に代えれば良い。また、クリック機構はなくても良い。
【００５５】
また、容器本体１を当該容器本体１より前側に位置する先筒２，２２と一体化した先筒とすると共に、尾栓８を容器本体１と同様な機能を有するものとし、これら（先筒及び尾栓）の相対回転により、移動体が繰り出される棒状化粧料繰出容器に対しても適用可能である。
【００５６】
さらにまた、相対回転による棒状化粧料の繰り出しに限定されるものではなく、公知のペンシル型のノック式のようにノック操作部のノックにより繰り出すタイプに対しても適用可能であり、要は、操作部の操作により棒状化粧料を繰り出すタイプ全てに対して適用可能である。因みに、上記実施形態では、操作部は、先筒２，２２や容器本体１のように相対回転させる部材に相当する。
【符号の説明】
【００５７】
１…容器本体、２，２２…先筒、２ａ，２２ａ…先端部、２ｂ…本体部、２ｃ，２２ｃ…先端面、２ｄ，２２ｄ…先細面、２ｅ，２２ｅ…開口、２ｆ，２２ｆ…筒孔、３…移動体、３ａ…雄螺子、４…ラチェットバネ部材、４ａ，５ｂ…ラチェット歯、４ｂ…バネ部、５…雌螺子部材、５ａ…雌螺子、７…キャップ、８…尾栓、９…突出部、１０…ピストン、１００…アイライナー繰出容器（棒状化粧料繰出容器）、Ａ，Ｂ…アイライン、Ｍ…アイライナー（棒状化粧料）、Ｓ…被塗布部。
【図１】
2017189466.tif 000003
【図２】
2017189466.tif 000004
【図３】
2017189466.tif 000005
【図４】
2017189466.tif 000006
【図５】
2017189466.tif 000007
【図６】
2017189466.tif 000008
【図７】
2017189466.tif 000009
【図８】
2017189466.tif 000010
【図９】
2017189466.tif 000011
【図１０】
2017189466.tif 000012
【図１１】
2017189466.tif 000013
【図１２】
2017189466.tif 000014
【図１３】
2017189466.tif 000015
【図１４】
2017189466.tif 000016
【図１５】
2017189466.tif 000017
【図１６】
2017189466.tif 000018
【図１７】
2017189466.tif 000019
【図１８】
2017189466.tif 000020
【図１９】
2017189466.tif 000021
【図２０】
2017189466.tif 000022